(57)【要約】【課題】  消火栓扉を小さくしても操作が簡便な消火栓装置とする。【解決手段】  本体と前面パネルとで構成される筐体内に、給水源に接続される配管系統と、該配管系統およびノズルに接続される消火用ホースを備える消火栓装置であって、前記筐体内で消火用ホースを内側に巻き込む略箱状のホースバケットと、該ホースバケットの前方で前記前面パネルに配置される消火栓扉と、前記配管系統の消火栓弁の開閉にワイヤで連動する開閉レバーと、を有し、前記開閉レバーは、前記ホースバケットの前面に設置されて、前記消火栓扉を開放したときに、前記ホースバケットの開口部と、前記開閉レバーが外部に露出する。【選択図】  図１
2010136948.tif 000002
【特許請求の範囲】
【請求項１】
本体と前面パネルとで構成される筐体内に、給水源に接続される配管系統と、該配管系統およびノズルに接続される消火用ホースを備える消火栓装置であって、
前記筐体内で消火用ホースを内側に巻き込む略箱状のホースバケットと、該ホースバケットの前方で前記前面パネルに配置される消火栓扉と、前記配管系統の消火栓弁の開閉にワイヤで連動する開閉レバーと、を有し、
前記開閉レバーは、前記ホースバケットの前面に設置されて、前記消火栓扉を開放したときに、前記ホースバケットの開口部と、前記開閉レバーが外部に露出することを特徴とする消火栓装置。
【請求項２】
ホースバケットの前面に、ノズルを着脱するホルダが設けられ、前記消火栓扉を開放したときに、前記ホースバケットの開口部と、前記開閉レバーとともに、前記ノズルが外部に露出する請求項１の消火栓装置。
【請求項３】
開閉レバーは、略Ｌ字状でその先端側に略水平かつ横向きの取手部が設けられ、略水平方向の軸で垂直方向に前記取手部を移動させて開閉操作を行う請求項１または２の消火栓装置。
【発明の詳細な説明】
【技術分野】
【０００１】
この発明は、消火栓装置に関し、とくにトンネル向けの消火栓装置に関する。
【背景技術】
【０００２】
従来のトンネル向けの消火栓装置は、ホース収容部の前面に大きな一枚の前傾式の消火栓扉が設けられていて、その消火栓扉を開放すれば、ホース収容部からホースを引き出したり、収納したりできるようになっている（例えば、特許文献１参照）。
【特許文献１】特開２００１−０９５９４３号公報
【発明の開示】
【発明が解決しようとする課題】
【０００３】
前記のような消火栓扉は、前方に約９０度傾動させることで開放するので、開放時には、前方に大きく突出し、作業や通行の邪魔になることがある。そのため、開口度合いを小さく約半分の扉として、扉の自重で約１８０度に傾動させ、ほぼ垂れ下がり状態に開放させる扉とすることもできる。
【０００４】
扉の形状に係わらず、消火栓装置を利用するときには、ノズルを取り出してホースを引き出すとともに、給水源につながる消火栓弁を開放してホース内に消火水を流入させる必要がある。操作者としては、ノズルの位置と、消火栓弁を開閉操作する開閉レバーの位置が分からなければならない。
【０００５】
この発明は、消火栓扉を小さくしても操作が簡便な消火栓装置とすることを目的とするものである。
【課題を解決するための手段】
【０００６】
この発明は、本体と前面パネルとで構成される筐体内に、給水源に接続される配管系統と、該配管系統およびノズルに接続される消火用ホースを備える消火栓装置であって、前記筐体内で消火用ホースを内側に巻き込む略箱状のホースバケットと、該ホースバケットの前方で前記前面パネルに配置される消火栓扉と、前記配管系統の消火栓弁の開閉にワイヤで連動する開閉レバーと、を有し、前記開閉レバーは、前記ホースバケットの前面に設置されて、前記消火栓扉を開放したときに、前記ホースバケットの開口部と、前記開閉レバーが外部に露出することを特徴とするものである。
【０００７】
そして、ホースバケットの前面に、ノズルを着脱するホルダが設けられ、前記消火栓扉を開放したときに、前記ホースバケットの開口部と、前記開閉レバーとともに、前記ノズルが外部に露出するものである。
【０００８】
さらに、開閉レバーは、略Ｌ字状でその先端側に略水平かつ横向きの取手部が設けられ、略水平方向の軸で垂直方向に前記取手部を移動させて開閉操作を行うものである。
【発明の効果】
【０００９】
この発明によれば、消火栓扉が配管系統の消火栓弁の部分まで開放しなくても、消火栓扉の開放によって開閉レバーを簡便に外部に露出させることができる。
【００１０】
そして、ホースバケットの前面に、ノズルを配置することで、開閉レバーと同時に、ノズルを外部に露出させることができる。
【００１１】
さらに、開閉レバーは、略Ｌ字状でその先端側に略水平かつ横向きの取手部が設けられ、略水平方向の軸で垂直方向に前記取手部を移動させて開閉操作を行うので、操作者が操作しやすい。
【発明を実施するための最良の形態】
【００１２】
実施の形態１
以下、本発明の一実施の形態について説明する。図において、実施の形態１の消火栓装置１００は、消火用ホースを備えている消火栓装置である。この消火栓装置１００は、例えばトンネル内の車道に隣接する監査路上に設置されたり、トンネルの内壁に埋設されて設置されたりするものである。
【００１３】
消火栓装置１００は、図１から図３に示されるように、その本体１０の前面に前面パネル２１が設置されて筐体を形成し、その内部に、先端にノズル６０を有するホース５、そのホース５を内巻に収納するホースバケット１２、自動調圧弁２および消火栓弁３等を備えて図示しない給水源に接続される配管系統４、図示しない消火器を備えている。
【００１４】
本体１０および前面パネル２１は、中央部Ｃ、右側部Ｒおよび左側部Ｌで構成され、図４に示されるように、筐体としての底面１０ｆＣ、１０ｆＲ、１０ｆＬ、背面１０ｂＣ、１０ｂＲ、１０ｂＬおよび上面１０ｓＣ、１０ｓＲ、１０ｓＬが各部を組み合わせて一面となるように構成されている。そして、本体１０の左右側面は、右側部Ｒの右側面１０ｒと、左側部Ｌの左側面１０ｐとなっている。
【００１５】
中央部Ｃ、右側部Ｒおよび左側部Ｌの前方には、それぞれ開口部を有する枠状の前面パネル２１Ｃ、２１Ｒ、２１Ｌが取り付けられていて、その開口部を覆うように、消火栓扉１４、配管扉１５、消火器扉２６がそれぞれに設置されている。
【００１６】
中央部Ｃの開口部には、この発明の扉としての消火栓扉１４とともに消火栓扉１４に連結する着脱板１３が設けられていて、消火栓扉１４は着脱板１３と連結される部分に蝶番１４ａを有し、消火栓扉１４の先端を切り欠いて配置した棒状のハンドル４３を手前に引くことで、前方に約１８０度、反転するように開放動作し、着脱板１３の下方にゴム等による当たり部材１３ａが設けられている。
【００１７】
なお、この消火栓扉１４の閉状態は磁石によって維持されているが、ラッチ機構によって閉状態とするようにしてもよい。
【００１８】
そして、消火栓扉１４に連結する着脱板１３は、４隅を前面パネル２１Ｃの図示しない取付穴にねじ止めされて固定されていて、着脱可能であり、消火栓扉１４と一体的に取り外すことが可能となっている。
【００１９】
この消火栓扉１４は、開扉状態での開口部が筐体内のホースバケット１２の大きい開口部の前方に位置され、このホースバケット１２の開口部は上下方向に長く形成されているが、ホース５を引き出す際には、ホースバケット１２の開口部かつ消火栓扉１４による開口部という制限された範囲から引き出されることとなり、ホース５が大きく暴れたり、ホース５が余計に出すぎることが防止される。
【００２０】
ここで、消火栓扉１４のハンドル４３部分について、図５および図６を用いて詳細に説明すると、板状の扉体の先端を切り欠いて切欠部４４を形成し、その切欠部４４に棒状のハンドル４３が横方向に設けられている。このハンドル４３の位置は、切欠部４３の中で、ここでは先端側に設置され、切欠部４３を大きくせず、操作するための力が小さくなるようにされている。
【００２１】
そして、ハンドル４３を扉体の先端に位置しているので、その上側に当たる前面パネル２１の開口の辺にも、補助切欠部４５を設けている。すなわち、この補助切欠部４５がなければ、ハンドル４３と前面パネル２１の間に、操作者がハンドル４３を握るための隙間がなく、ハンドルに手をかけられる程度に、前面パネル２１には補助切欠部４５が形成されている。
【００２２】
また、切欠部４４は、筐体にとって開口部となって内部が露出してしまうので、目隠し板４６が設けられていて、目隠し板４６は前面パネル２１に固定されている。そして、目隠し板４６の形状は箱状とされ、切欠部４４を覆ってゴミの進入を防止するため、隙間を空けないようになっている。ここで、補助切欠部４５も切欠部４４と同時に目隠し板４６に覆われている。
【００２３】
また、消火栓扉１４とともに着脱板１３を取り外すことにより、ホースバケット１２の開口部は大きく開口されることとなり、ホース５を収容する際には作業が容易になる。
【００２４】
このホースバケット１２には、右側の帯板１２Ｒの前面に、内部にプーリを有するボックス３ｃが固定されて、ボックス３ｃの側面から突出して開閉レバー３ａが設置されていて、また、左側の帯板１２Ｌの前面に、ノズル６０を保持するホルダ６０ａとノズル６０のゴミ防止用板６０ｂとが設置され、ノズル６０が保持される。
【００２５】
開閉レバー３ａのボックス３ｃから引き出される図示しないワイヤは、消火栓弁３の弁体に連動する図示しないプーリにつながり、そのプーリを内蔵するボックスが消火栓弁３に設けられ、消火栓弁３は、図示しないワイヤで連動して開閉が行われる。
【００２６】
開閉レバー３ａは、図７に示されるように、略Ｌ字状でその先端側に略水平かつ横向きの取手部３ｂが設けられ、操作者が前方やや上側に手を伸ばす場合に、握りやすい方向であり、略水平方向の軸で垂直方向に取手部３ｂを移動させて開閉操作を行うので、操作者が取手部３ｂを握った手を下方に下ろすことで、そのまま移動させやすく、同じ軸で略Ｌ字状でなく１本の棒状とするレバーの場合のように、手を移動させたときに、詰まる感じにならない。
【００２７】
また、ノズル６０は、図８に示されるように、略Ｃ字状に形成されたホルダ６０ａで挟持することで縦方向に配置され、ノズル６０の放出口が上側を向いている。そのため、ノズル６０の上側には、ゴミ防止用の板６０ｂが設けられていて、ノズル６０内にゴミが進入するのを防いでいる。
【００２８】
このように、開閉レバー３ａとノズル６０とが配置されているので、ホースバケット１２の開口部の前面で、ホースバケット１２の幅に合わせて小さく開放する消火栓扉１４であっても、その大きさの中で、ノズル６０を握ってホース５を引き出せるとともに、開閉レバー３ａを操作して消火栓弁３を開放させることができる。
【００２９】
左側部Ｌの開口部には、消火器扉２６とともに電気機器取付板２８が設けられている。この電気機器取付板２８には、表示灯５５や非常用発信器５６、応答ランプ５７などが取り付けられ、その他、電話ジャック、非常用コンセントなどの電気機器を備えることができる。この取付板２８は、詳細に示さないが、４隅で図示しない取付穴にねじ止めされて固定される。なお、消火器扉２６の内側には、図示しない消火器を配置するための配置スペース２６Ｓがある。
【００３０】
この本体１０の下側には、設置面に固定される架台１１が配置され、この架台１１の上面に、筐体を構成する中央部Ｃ、右側部Ｒ、左側部Ｌがそれぞれの底面１０ｆＣ、１０ｆＲ、１０ｆＬでボルト締めにより固定される。この架台１１は、断面略コ字状の鋼材による枠体であるが、その内側に対して必要な補強部材が設けられていて、例えばトンネルの監査路に沿って形成された箱抜き部分のような設置面に対して、アンカーなどで強固に固定される。
【００３１】
つぎに、このような消火栓装置１００の使用方法につき、火災の発生時、ホース５を伸ばしてノズル６０から放水する場合について説明する。
【００３２】
操作者は、まず消火栓扉１４を開けるため、ハンドル４３を握り手前に引くことで、消火栓扉１４が約１８０度手前に倒れて垂れ下がるように開放する。この消火栓扉１４が開放すると、その開口部からノズル６０と開閉レバー３ａが見える。
【００３３】
このとき、消火栓扉１４は、ほぼホースバケット１２の幅でかつホースバケット１２の開口部を制限する大きさでしか開放せず、配管扉１５の背面にある配管系統４は当然露出しない。
【００３４】
つぎに、操作者は、ノズル６０をホルダ６０ａから取り外し、また、開閉レバー３ａを手前に引くことで、図示しないワイヤで結合する消火栓弁３を開放することができ、消火栓弁３の一次側まで来ている給水源から供給される消火水が自動調圧弁２を介してホース５内に流入する。
【００３５】
このように、開閉レバー３ａを図示しないワイヤで消火栓弁３と連結して連動させているので、消火栓扉１４の近辺に消火栓弁３を配置する必要はなく、配管系統４に位置的な制限がなく、自由な位置かつコンパクトに設置することができる。
【００３６】
この状態で、取り外したノズル６０を握りながら、操作者が火災の現場に向うと、ノズル６０に接続されているホース５がホースバケット１２から順次繰り出される。そして、火災の現場に近づき、ノズル６０から流入する消火水を放出して消火活動を行うことができる。
【００３７】
このように使用したホース５を収容する際には、消火栓扉１４に連結される着脱板１３を取り外すことにより、開口部が大きくなって、ホースバケット１２への収容作業が行いやすくなる。
【００３８】
以上のように、この実施の形態の消火栓装置１００は、本体１０と前面パネル２１とで構成される筐体内に、給水源に接続される配管系統４と、配管系統４およびノズル６０に接続されるホース５を備え、筐体内でホース５を内側に巻き込む略箱状のホースバケット１２と、ホースバケット１２の前方で前面パネル２１に配置される消火栓扉１４と、配管系統４の消火栓弁３の開閉に図示しないワイヤで連動する開閉レバー３ａとを有し、開閉レバー３ａは、ホースバケット１２の前面、具体的には帯板１２Ｒに設置されて、消火栓扉１４を開放したときに、ホースバケット１２の開口部と、開閉レバー３ａが外部に露出し、消火栓扉１４が配管系統４の消火栓弁３の部分まで開放しなくても、消火栓扉１４の開放によって開閉レバー３ａを簡便に外部に露出させることができる。
【００３９】
そして、ホースバケット１２の前面、具体的には帯板１２Ｌに、ノズル６０を着脱するホルダ６０ａが設けられ、消火栓扉１４を開放したときに、ホースバケット１２の開口部と、開閉レバー３ａとともに、ノズル６０が外部に露出させることができる。
【００４０】
さらに、開閉レバー３ａは、略Ｌ字状でその先端側に略水平かつ横向きの取手部３ｂが設けられ、略水平方向の軸で垂直方向に取手部３ｂを移動させて、連動する消火栓弁３の開閉操作を簡便に行うことができ、操作者が操作しやすい。
【図面の簡単な説明】
【００４１】
【図１】この発明の実施の形態１を示す消火栓装置の正面図。
【図２】図１につき、一部を断面にした平面図。
【図３】図１につき、消火栓扉の開放状態での右側面図。
【図４】図１に用いる本体の組み立て方法を示す組立図。
【図５】ハンドル部分の拡大斜視図。
【図６】図５の拡大正面図および拡大断面図。
【図７】開閉レバーの形状を示す正面図および右側面図。
【図８】ホルダの形状を示す正面図、右側面図および底面図。。
【符号の説明】
【００４２】
１０  本体、１２  ホースバケット、１４  消火栓扉、２１  前面パネル、３  消火栓弁、３ａ 開閉レバー、４  配管系統、５  ホース、６０  ノズル。
【図１】
2010136948.tif 000003
【図２】
2010136948.tif 000004
【図３】
2010136948.tif 000005
【図４】
2010136948.tif 000006
【図５】
2010136948.tif 000007
【図６】
2010136948.tif 000008
【図７】
2010136948.tif 000009
【図８】
2010136948.tif 000010